(57)【要約】【課題】  灰皿に邪魔されることなく、膳板上でスライド移動することを可能とする玉箱を提供する。【解決手段】  玉箱２１は、底部３１と、底部３１に傾斜状に立ち上げるように設けられる側部３２と、側部３２の上端に設けられる上縁部３３とを有し、上面が開放して箱状になっており、左右の上縁部３３から把持部３４ａ、３４ｂが外方向に突出形成されている。底部３１の下面側には、底部３１の長手方向に沿って両側に凹状の脚部３５ａ、３５ｂを設けることにより、底部３１は、中央部に溝部３６が形成される。溝部３６の幅Ｌ２は、灰皿１７の直径Ｌ１よりも広く、溝部３６の高さＨ２は、灰皿１７の鍔部の高さＨ１より高くする。形成された溝部３６の空間は、玉箱２１を膳板１１上でスライド移動した場合、膳板１１上に設けた灰皿１７の鍔部を避けることを可能とする。【選択図】  図２
2005211174.tif 000002
【特許請求の範囲】
【請求項１】
パチンコ玉を収納する玉箱であって、
本体の底部に長手方向に沿って、溝部を形成することを特徴とする玉箱。
【請求項２】
前記溝部の幅は、灰皿の直径より大きいことを特徴とする請求項１記載の玉箱。
【請求項３】
前記溝部の高さは、灰皿の鍔部の高さより大きいことを特徴とする請求項１記載の玉箱。
【請求項４】
前記灰皿は、吸殻回収装置に付随する灰皿であることを特徴とする請求項２又は請求項３記載の玉箱。
【発明の詳細な説明】
【技術分野】
【０００１】
本発明は、パチンコ遊技機における遊戯中に出たパチンコ玉を収納するために用いる玉箱に関する。
【背景技術】
【０００２】
昨今、パチンコ遊技場において、吸殻回収装置の普及により、遊技者が吸ったタバコの吸殻は自動的に回収される。吸殻回収装置とは、玉置台スペースに設けられた灰皿に捨てられた吸殻や灰等を、へらが取り付けられたチェーンをモータ等で回転させることにより、自動的に台の端まで送り回収する装置である。（例えば、特許文献１参照）
【０００３】
【特許文献１】特開６−１１４１５９号公報
【発明の開示】
【発明が解決しようとする課題】
【０００４】
しかしながら、遊技者が玉を出し、玉箱がいっぱいになった場合、遊技者は一時的にいっぱいになった玉箱を横にずらし、新しい（空の）玉箱を取り出し、そこに新たに玉を入れていく。この際、横にずらそうとした時に、従来の玉箱（底部が平らなもの）であると、灰皿の凸部（鍔部）に閊えてしまい、遊技者が玉のいっぱい入った玉箱を持ち上げて移動しなければならず、玉をこぼす可能性もあり、遊技者に不快感を与えるという問題点があった。
【０００５】
本発明は、以上の点に鑑みてなされたものであり、灰皿に邪魔されることなく、膳板上でスライド移動することを可能とする玉箱を提供することを目的とする。
【課題を解決するための手段】
【０００６】
前述した目的を達成するために本発明は、パチンコ玉を収納する玉箱であって、本体の底部に長手方向に沿って、溝部を形成することを特徴とする玉箱である。
【０００７】
また、前記溝部の幅は、灰皿の直径より大きいことが望ましい。
また、前記溝部の高さは、灰皿の鍔部の高さより大きいことが望ましい。
【０００８】
本発明では、パチンコ玉を収納する玉箱は、本体の底部に長手方向に沿って、溝部を形成する。
【０００９】
ここで、「吸殻回収装置」とは、玉置台スペースに設けられた灰皿に捨てられた吸殻や灰等を、へらが取り付けられたチェーンをモータ等で回転させることにより、自動的に台の端まで送り回収する装置である。
「灰皿」は、パチンコ遊技機の膳板上に埋め込まれたもので、灰皿に捨てた吸殻等は、膳板の下部に設けられた吸殻回収装置の内部に落ちる。
「玉箱」は、パチンコ遊技機における遊戯中に出たパチンコ玉を収納するために用いる玉箱である。
「溝部」は、玉箱本体の底部に、長手方向に沿って両端に脚部を設けることにより、底部の中央に外側に向けて形成した溝状の空間である。
【発明の効果】
【００１０】
本発明は、灰皿に邪魔されることなく、膳板上でスライド移動することを可能とする玉箱を提供することができる。
【発明を実施するための最良の形態】
【００１１】
以下に、添付図面を参照しながら、本発明に係るパチンコ遊技機における遊技中に出たパチンコ玉を収納するために用いる玉箱等の好適な実施形態について詳細に説明する。なお、以下の説明および添付図面において、略同一の機能構成を有する構成要素については、同一の符号を付することにより重複説明を省略することにする。ここで、パチンコ遊技機とは、パチンコ遊技を行うための装置である。
【００１２】
図１は、パチンコ遊技機１の概略構成を示す図である。図１に示すように、パチンコ遊技機１は、複数のパチンコ機３が横に接続されたものである。各パチンコ機３には、前面にパチンコ遊技を行う盤面５、各種の表示を行う表示器７、パチンコ玉を操作するハンドル９、上皿（図示せず）を介してパチンコ玉を蓄積する下皿２０等がそれぞれ設けられる。遊技者は、盤面５上でパチンコ玉を操作することによりパチンコ遊技を行う。
【００１３】
パチンコ遊技機１には、複数のパチンコ機３を載せる台１３が設けられ、台１３の上には膳板１１が設けられる。複数のパチンコ機３は、膳板１１の上部に横に並べて設置される。膳板１１の上部は、通常パチンコ玉を入れる玉箱２１を置く玉置台として使用される。下皿２０におけるパチンコ玉の量が増加すると、遊技者は、玉移しレバー２２を引いて、パチンコ玉を玉箱２１へ移し替える。
【００１４】
膳板１１には、パチンコ機３に向かって左端に、灰皿１７が埋め込まれるように設けられる。灰皿１７は、底部に複数個の穴が設けられ、灰皿１７に捨てた吸殻等は、膳板１１の下部に設けられた吸殻回収装置１５の内部に落ちる。
【００１５】
吸殻回収装置１５は、膳板１１の裏側に固定され、膳板１１に設けられた灰皿１７から落ちた吸殻等を回収する。
【００１６】
吸殻回収装置１５の右側、すなわちパチンコ遊技機１の台１３の右端には、タンクケース１９が設けられる。タンクケース１９には、内部に吸殻等を回収する容器が収納されており、吸殻回収装置１５によって送られた吸殻等を集められ、回収される。
尚、吸殻回収装置１５について、本出願人は、既に特許出願を行っている（特願２００３−９９８９８）。
【００１７】
次に、図２、図３、図４、図５を参照しながら、本発明に係る玉箱である玉箱２１について詳しく説明する。図２は玉箱２１の透過斜視図であり、図３は同平面図、図４は同正面図、図５は同側面図である。
【００１８】
玉箱２１は、パチンコ機３の下皿２０に貯まったパチンコ玉を、下皿２０から移し替え収納しておくのに使用する箱である。玉箱２１は、透明または半透明の樹脂材料等であり、底部３１と、底部３１に傾斜状に立ち上げるよう設けられる側部３２と、側部３２の上端に設けられる上縁部３３と、を有し、上面が開放して箱状になっており、左右の上縁部３２から把持部３２ａ、３２ｂが外方向に突出形成されている。
【００１９】
底部３１の下面側には、底部３１の長手方向に沿って両側に凹状の脚部３５ａ、３５ｂを設ける。これにより、底部３１には、中央部に溝部３６が形成される。形成された溝部３６の空間は、玉箱２１を膳板１１上でスライド移動した場合、膳板１１上に設けた灰皿１７の凸部である鍔部を避けることを可能とする。
【００２０】
次に、吸殻回収装置１５の灰皿１７と玉箱２１のスライド移動について詳しく説明する。図６は、吸殻回収装置１５の灰皿１７と玉箱２１のスライド移動を示す平面図、図７は同正面図である。
【００２１】
図６に示すように、玉箱２１には、脚部３５ａ、３５ｂが設けられることにより、形成された溝部３６の幅Ｌ２が灰皿１７の直径Ｌ１よりも広くし、図７に示すように、溝部３６の高さＨ２が灰皿１７の鍔部（凸部）の高さＨ１より高くすることにより、遊技者は、玉箱２１を膳板１１上でスライド移動を可能とする。すなわち、玉箱２１の脚部３５ａと脚部３５ｂとの間の内側幅Ｌ２を灰皿１７の直径Ｌ１より広くし、脚部３５ａ、３５ｂの高さＨ２を灰皿１７の鍔部（凸部）の高さＨ１より高くする。
【００２２】
以上説明したように、本発明の実施の形態によれば、玉箱２１の底部３１の長手方向に沿って両端に凹状の脚部３５ａ、３５ｂを設けることにより、底部３１の中央部に溝部３６の空間が形成される。溝部３６の幅Ｌ２は、灰皿１７の直径Ｌ１よりも広く、溝部３６の高さＨ２は、灰皿１７の鍔部（凸部）の高さＨ１より高くする。
これにより、遊技者は、玉のいっぱい入った玉箱２１を持ち上げることなく、吸殻回収装置１５の灰皿１７の鍔部をかわして、灰皿１７で閊えることなく、膳板１１上でスライド移動を可能とする。
【００２３】
次に、第２の実施の形態の玉箱１２１について説明する。図８は、玉箱１２１の斜視図である。
図８に示すように、玉箱１２１の底部３１の下面側に、四方に直方体状の脚部３５ａ、３５ｂ、３５ｃ、３５ｄ等を設け、玉箱２１の脚部３５ａと脚部３５ｂとの間の内側幅、脚部３５ｃと脚部３５ｄを灰皿１７の直径より広くし、脚部３５ａ、３５ｂ、３５ｃ、３５ｄの高さを灰皿１７の鍔部（凸部）の高さより高くすることにより、底部３１の中央部に溝部３６の空間が形成される。
これにより、遊技者は、玉のいっぱい入った玉箱１２１を持ち上げることなく、吸殻回収装置１５の灰皿１７の鍔部をかわして、灰皿１７で閊えることなく、膳板１１上でスライド移動を可能とする。
【００２４】
第３の実施の形態の玉箱２２１について説明する。図９は、玉箱２２１の斜視図、図１０は、玉箱３２１の斜視図である。
図９に示すように、玉箱２２１の底部３１の下面側に、長手方向に沿って両側にげた状の脚部３５ａ、３５ｂ等を設け、玉箱２１の脚部３５ａと脚部３５ｂとの間の内側幅、脚部３５ｃと脚部３５ｄを灰皿１７の直径より広くし、脚部３５ａ、３５ｂ、３５ｃ、３５ｄの高さを灰皿１７の鍔部（凸部）の高さより高くすることにより、底部３１の長手方向に沿って中央部に溝部３６の空間が形成される。
これにより、遊技者は、玉のいっぱい入った玉箱２２１を持ち上げることなく、吸殻回収装置１５の灰皿１７の鍔部をかわして、灰皿１７で閊えることなく、膳板１１上でスライド移動を可能とする。
【００２５】
また、図１０に示すように、玉箱３２１の底部３１の下面側に、四方にげた状の脚部３５ａ、３５ｂ、３５ｃ、３５ｄ等を設け、玉箱２１の脚部３５ａと脚部３５ｂとの間の内側幅、脚部３５ｃと脚部３５ｄを灰皿１７の直径より広くし、脚部３５ａ、３５ｂ、３５ｃ、３５ｄの高さを灰皿１７の鍔部（凸部）の高さより高くしてもよい。
【００２６】
以上、添付図面を参照しながら、本発明に係る玉箱の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００２７】
【図１】パチンコ遊技機１の概略構成を示す図
【図２】本実施の形態に係る玉箱２１の透過斜視図
【図３】玉箱２１の平面図
【図４】玉箱２１の正面図
【図５】玉箱２１の側面図
【図６】吸殻回収装置１５の灰皿１７と玉箱２１のスライド移動を示す平面図
【図７】吸殻回収装置１５の灰皿１７と玉箱２１のスライド移動を示す正面図
【図８】第２の実施の形態に係る玉箱１２１の斜視図
【図９】第３の実施の形態に係る玉箱２２１の斜視図
【図１０】玉箱３２１の斜視図
【符号の説明】
【００２８】
１………パチンコ遊技機
３………パチンコ機
５………盤面
７………表示器
９………ハンドル
１１………膳板
１３………台
１５………吸殻回収装置
１７………灰皿
２０………下皿
２１、１２１、２２１、３２１………玉箱
３１………底部
３２………側部
３３………上縁部
３４………把持部
３５………脚部
３６………溝部
【図１】
2005211174.tif 000003
【図２】
2005211174.tif 000004
【図３】
2005211174.tif 000005
【図４】
2005211174.tif 000006
【図５】
2005211174.tif 000007
【図６】
2005211174.tif 000008
【図７】
2005211174.tif 000009
【図８】
2005211174.tif 000010
【図９】
2005211174.tif 000011
【図１０】
2005211174.tif 000012